(57)【要約】【課題】  優れた強度を持ち、ストレスがかかってもアンテナエレメントが容易に外れることがないアンテナ装置を提供する。【解決手段】  基辺部２４ａにスタッド１２が挿通されると共に、対の突出辺部２４ｂによって対の金属板２１のうちスタッド１２の環状凹部１２ｂに対応する部分を挟持するコ字形金具２４を有している。【選択図】  図４
2010103588.tif 000002
【特許請求の範囲】
【請求項１】
回動可能に支持されたアンテナエレメントを有するアンテナ装置であって、電波送受信の少なくとも一方をなす電子回路と電気的に接続されるスタッドと、スタッドの周面に形成された環状凹部を挟んで対向すると共に前記アンテナエレメントを支持する対の金属板とを有するアンテナ装置において、
基辺部ならびに該基辺部の両端から突出する対の突出辺部から成る断面コ字形を呈し、該基辺部に前記スタッドが挿通されると共に該対の突出辺部によって前記対の金属板のうち該環状凹部に対応する部分を挟持するコ字形金具を有することを特徴とするアンテナ装置。
【請求項２】
前記スタッドを含む固定節と、
前記対の金属板を含み、前記スタッドの中心軸である第１回動軸の周りを回動する第１回動節と、
前記アンテナエレメントを含み、前記対の金属板の対向方向に延びる第２回動軸の周りを回動する第２回動節とから成り、
前記アンテナエレメントは、前記固定節によって二軸方向に回動可能に支持される請求項１に記載のアンテナ装置。
【請求項３】
前記対の金属板は、前記スタッドの前記環状凹部に常に当接することによって該スタッドに電気的に接続されており、
前記アンテナエレメントは、前記対の金属板に常に当接することによって該対の金属板に電気的に接続されている請求項１または２に記載のアンテナ装置。
【請求項４】
請求項１乃至３のいずれか１つに記載のアンテナ装置と、前記電子回路と、前記電子回路を収容すると共に前記アンテナ装置を搭載したカード型筐体とを有することを特徴とするカード型電子機器。
【発明の詳細な説明】
【技術分野】
【０００１】
本発明は、ＰＣカード型やＣＦカード型等のカード型電子機器への搭載に好適なアンテナ装置に関する。
【背景技術】
【０００２】
ＰＣカード型やＣＦカード型等のカード型電子機器は、ノート型パーソナルコンピュータ、ＰＤＡ（Personal Digital Assistant）、可搬型ＰＯＳ（Point Of Sale）端末等の情報処理機器の周辺機器の一種であり、情報処理機器に外部インターフェースとして備えられたカードスロットに挿入されて使用される。
【０００３】
カード型電子機器には、電波の送受信の少なくとも一方を行うものがある。具体的には、例えば、データ通信用携帯電話機、Bluetooth（商標または登録商標）アダプタ、無線ＬＡＮ（Local Area Network）アダプタ、ワンセグ受信機、ＧＰＳ（Global Positioning System）受信機、デジタルラジオ受信機、衛星ラジオ受信機等である。この種のカード型電子機器には、そのアンテナとして、良好な送受信を実現するためにアンテナエレメントを一軸方向または二軸方向に回動可能なアンテナ装置が採用される場合がある。
【０００４】
図１（ａ）〜（ｃ）ならびに図２を参照すると、この種のアンテナ装置の一例は、二軸方向に回動可能に支持された金属製のアンテナエレメント６３２を有しており、電波送受信の少なくとも一方をなす図示しないカード型電子機器の電子回路と電気的に接続される金属製のスタッド６１２と、スタッド６１２の周面に形成された環状凹部６１２ｂを挟んで対向すると共にアンテナエレメント６３２を支持する対の金属板６２１とを有している。尚、図１（ｃ）において、対の金属板６２１が自立しているように示されているが、実際は、後述するジョイントガイド６２２を挟むと共にエレメントホルダ６３１によって挟まれ、さらにそれらに金属ピン６２３が挿通されることにより、スタッド６１２の環状凹部６１２ｂに対して位置付けられている。
【０００５】
スタッド６１２は、固定節６１０に含まれており、固定節６１０は、スタッド６１２を支持する樹脂製のベース６１１をも含んでいる。ベース６１１は、カード型電子機器のカード型筐体（図示せず）にネジ留めされる。
【０００６】
対の金属板６２１は、スタッド６１２の中心軸である第１回動軸の周り（矢印Ｃ１方向）を回動する第１回動節６２０に含まれている。第１回動節６２０は、樹脂製のジョイントガイド６２２と、対の金属板６２１の対向方向に延びるようにジョイントガイド６２２に圧入された金属ピン６２３をも含んでいる。
【０００７】
アンテナエレメント６３２は、金属ピン６２３の中心軸である第２回動軸の周り（矢印Ｃ２方向）を回動する第２回動節６３０に含まれている。第２回動節６３０は、どちらも樹脂製のエレメントホルダ６３１およびエレメントカバー６３３をも含んでいる。
【０００８】
図中の符号６４０は、アンテナ装置を通してカード型電子機器のカード型筐体内に埃や水分が浸入することを防ぐためのＯリングである。
【０００９】
アンテナエレメント６３２は、固定節６１０によって二軸方向に回動可能に支持される。固定節６１０は、そのベース６１１がカード型電子機器のカード型筐体に固定されているため、アンテナエレメント６３２は、カード型筐体によって二軸方向に回動可能に支持されるとも云える。
【００１０】
尚、対の金属板６２１がスタッド６１２の環状凹部６１２ｂに常に当接することによってスタッド６１２に電気的に接続されており、かつ、アンテナエレメント６３２が対の金属板６２１に常に当接することによって対の金属板６２１に電気的に接続されているため、アンテナエレメント６３２は、二軸方向に回動可能でありながらも、常にカード型電子機器の電子回路と電気的に接続している。
【００１１】
この種のアンテナ装置は、図１に示された構造の他にも、例えば、特許文献１に開示されている。
【００１２】
【特許文献１】特開２００２−３２９１８２号公報
【発明の開示】
【発明が解決しようとする課題】
【００１３】
図１に示されたアンテナ装置は、第２回動節６３０（アンテナエレメント６３２を包含したエレメントカバー６３３）は長さが長いため、ここにストレスが加わると、間接部分には梃子の原理によって大きなストレスがかかる。このため、対の金属板６２１がスタッド６１２の環状溝部６１２ｂから外れて第１回動節６２０および第２回動節６３０が固定節６１０から脱落することがある。
【００１４】
それ故、本発明の課題は、優れた強度を持ち、ストレスがかかってもアンテナエレメントが容易に外れることがないアンテナ装置を提供することである。
【００１５】
本発明の他の課題は、そのようなアンテナ装置を有するカード型電子機器を提供することである。
【課題を解決するための手段】
【００１６】
本発明によれば、回動可能に支持されたアンテナエレメントを有するアンテナ装置であって、電波送受信の少なくとも一方をなす電子回路と電気的に接続されるスタッドと、スタッドの周面に形成された環状凹部を挟んで対向すると共に前記アンテナエレメントを支持する対の金属板とを有するアンテナ装置において、基辺部ならびに該基辺部の両端から突出する対の突出辺部から成る断面コ字形を呈し、該基辺部に前記スタッドが挿通されると共に該対の突出辺部によって前記対の金属板のうち該環状凹部に対応する部分を挟持するコ字形金具を有することを特徴とするアンテナ装置が得られる。
【００１７】
本アンテナ装置は、前記スタッドを含む固定節と、前記対の金属板を含み、前記スタッドの中心軸である第１回動軸の周りを回動する第１回動節と、前記アンテナエレメントを含み、前記対の金属板の対向方向に延びる第２回動軸の周りを回動する第２回動節とから成り、前記アンテナエレメントは、前記固定節によって二軸方向に回動可能に支持されるものであってもよい。
【００１８】
前記対の金属板は、前記スタッドの前記環状凹部に常に当接することによって該スタッドに電気的に接続されており、前記アンテナエレメントは、前記対の金属板に常に当接することによって該対の金属板に電気的に接続されていてもよい。
【００１９】
また、本発明によれば、前記アンテナ装置と、前記電子回路と、前記電子回路を収容すると共に前記アンテナ装置を搭載したカード型筐体とを有することを特徴とするカード型電子機器が得られる。
【発明の効果】
【００２０】
本発明によるアンテナ装置は、優れた強度を持ち、ストレスがかかってもアンテナエレメントが容易に外れることがない。
【発明を実施するための最良の形態】
【００２１】
本発明によるアンテナ装置は、基辺部ならびに基辺部の両端から突出する対の突出辺部から成る断面コ字形を呈し、基辺部にてスタッドを挿通させると共に、対の突出辺部によって対の金属板のうちスタッドの環状凹部に対応する部分を挟持するコ字形金具を有している。
【００２２】
このような構成により、対の金属板のスタッドの環状凹部に対応する部分がコ字形金具によって規制されるため開くことがない。即ち、本発明によるアンテナ装置は、優れた強度を持ち、ストレスがかかってもアンテナエレメントが容易に外れることがない。
【実施例】
【００２３】
以下、図面を参照して、本発明によるアンテナ装置のより具体的な実施例を詳細に説明する。
【００２４】
図３（ａ）〜（ｃ）ならびに図４を参照すると、本発明の実施例によるアンテナ装置は、二軸方向に回動可能に支持された金属製のアンテナエレメント３２を有しており、電波送受信の少なくとも一方をなす図示しないカード型電子機器の電子回路と電気的に接続される金属製のスタッド１２と、スタッド１２の周面に形成された環状凹部１２ｂを挟んで対向すると共にアンテナエレメント３２を支持する対の金属板２１とを有している。尚、図３（ｃ）において、対の金属板２１が自立しているように示されているが、実際は、後述するジョイントガイド２２を挟むと共にエレメントホルダ３１によって挟まれ、さらにそれらに金属ピン２３が挿通されることにより、スタッド１２の環状凹部２ｂに対して位置付けられている。
【００２５】
スタッド１２は、固定節１０に含まれており、固定節１０は、スタッド１２を支持する樹脂製のベース１１をも含んでいる。ベース１１は、カード型電子機器のカード型筐体（図示せず）にネジ留めされる。
【００２６】
対の金属板２１は、スタッド１２の中心軸である第１回動軸の周り（矢印Ｃ１方向）を回動する第１回動節２０に含まれている。第１回動節２０は、樹脂製のジョイントガイド２２と、対の金属板２１の対向方向に延びるようにジョイントガイド２２に圧入された金属ピン２３をも含んでいる。
【００２７】
アンテナエレメント３２は、金属ピン２３の中心軸である第２回動軸の周り（矢印Ｃ２方向）を回動する第２回動節３０に含まれている。第２回動節３０は、どちらも樹脂製のエレメントホルダ３１およびエレメントカバー３３をも含んでいる。
【００２８】
図中の符号４０は、アンテナ装置を通してカード型電子機器のカード型筐体内に埃や水分が浸入することを防ぐためのＯリングである。
【００２９】
アンテナエレメント３２は、固定節１０によって二軸方向に回動可能に支持される。固定節１０は、そのベース１１がカード型電子機器のカード型筐体に固定されているため、アンテナエレメント３２は、カード型筐体によって二軸方向に回動可能に支持されるとも云える。
【００３０】
尚、対の金属板２１がスタッド１２の環状凹部１２ｂに常に当接することによってスタッド１２に電気的に接続されており、かつ、アンテナエレメント３２の基部の金属板部の内側面が対の金属板２１の外側板面に常に当接することによって対の金属板２１に電気的に接続されているため、アンテナエレメント３２は、二軸方向に回動可能でありながらも、常にカード型電子機器の電子回路と電気的に接続している。
【００３１】
特に、本アンテナ装置は、第２回動節２０の構成要素として、コ字形金具２４を有している。コ字形金具２４は、基辺部２４ａならびに基辺部２４ａの両端から突出する対の突出辺部２４ｂから成る断面コ字形を呈しており、基辺部２４ａにスタッド１２が挿通されると共に、対の突出辺部２４ｂによって対の金属板２１のうちスタッド１２の環状凹部１２ｂに対応する部分を挟持するコ字形金具２４を有している。
【００３２】
このような構成により、対の金属板２１のスタッド１２の環状凹部１２ｂに対応する部分がコ字形金具２４によって規制されるため開くことがない。即ち、本発明によるアンテナ装置は、優れた強度を持ち、第２回動節３０等にストレスがかかっても、アンテナエレメント３２を含む第２回動節３０ならびに第１回動節２０が固定節１０から容易に外れることがない。
【産業上の利用可能性】
【００３３】
以上説明した実施例に限定されることなく、本発明は、その範囲内であれば、種々の変形が可能であることは云うまでもない。
【図面の簡単な説明】
【００３４】
【図１】本発明の関連技術によるアンテナ装置を示す図であり、（ａ）は斜視図、（ｂ）は断面図、（ｃ）は要部の斜視図である。
【図２】図１に示されたアンテナ装置の分解斜視図である。
【図３】本発明の実施例によるによるアンテナ装置を示す図であり、（ａ）は斜視図、（ｂ）は断面図、（ｃ）は要部の斜視図である。
【図４】図３に示されたアンテナ装置の分解斜視図である。
【符号の説明】
【００３５】
１０、６１０    固定節
１１、６１１    ベース
１２、６１２    スタッド
１２ｂ、６１２ｂ  環状凹部
２０、６２０    第１回動節
２１、６２１    金属板
２２、６２２    ジョイントガイド
２３、６２３    金属ピン
２４    コ字形金具
２４ａ  基辺部
２４ｂ  突出辺部
３０、６３０    第２回動節
３１、６３１    エレメントホルダ
３２、６３２    アンテナエレメント
３３、６３３    エレメントカバー
４０、６４０    Ｏリング
【図１】
2010103588.tif 000003
【図２】
2010103588.tif 000004
【図３】
2010103588.tif 000005
【図４】
2010103588.tif 000006